(57)【特許請求の範囲】
【請求項１】
入金または出金される貨幣の金種および数量の入力を受けるターミナルと、
前記ターミナルに通信可能に接続され、貨幣を収納する貨幣処理装置および貨幣管理装置とを備え、
前記ターミナルは、前記入金または出金される貨幣の数量を所定単位数で割り算して得られた剰余に相当する剰余貨幣の情報を前記貨幣処理装置へ送信し、並びに、前記入金または出金される貨幣から前記剰余貨幣を除いた整除可能な数の貨幣の情報を前記貨幣管理装置へ送信し、
前記貨幣処理装置は、前記ターミナルからの情報を受けて、前記剰余貨幣を収納または投出し、
前記貨幣管理装置は、前記ターミナルからの情報を受けて、前記整除可能な数の貨幣を、前記所定単位数ごとに収納または投出し、
貨幣を入金する際、前記貨幣処理装置は、入金される貨幣を計数し、前記整除可能な数の貨幣を前記所定単位数ごとに投出し、前記剰余貨幣を収納することを特徴とする貨幣入出金システム。
【請求項２】
前記貨幣処理装置は、該貨幣処理装置の収納庫のいずれかに収納された貨幣が所定数以上になった場合に、前記所定単位数ごとに貨幣を投出することを特徴とする請求項１に記載の貨幣入出金システム。
【請求項３】
前記貨幣処理装置または前記ターミナルは、前記所定単位数ごとに投出した貨幣の情報を前記貨幣管理装置へ送信し、
前記貨幣管理装置は、前記貨幣処理装置からの情報に基づいて前記貨幣処理装置から前記所定単位数ごとに投出された貨幣の収納場所を特定することを特徴とする請求項１または請求項２に記載の貨幣入出金システム。
【請求項４】
前記貨幣処理装置は、該貨幣処理装置の収納庫にすでに収納されている貨幣が所定数未満の場合、入金される貨幣が前記所定単位数以上であっても該入金される貨幣を全て収納することを特徴とする請求項１から請求項３のいずれか一項記載の貨幣入出金システム。
【請求項５】
前記貨幣管理装置は、該貨幣管理装置の収納庫にすでに収納されている貨幣が所定数以上である場合に収納貨幣が所定数以上であることを示すフル情報を前記ターミナルまたは前記貨幣処理装置に送信し、
前記貨幣処理装置は、前記フル情報を受け取った場合に、入金される貨幣が前記所定単位数以上であっても該入金される貨幣を全て収納することを特徴とする請求項１から請求項４のいずれか一項記載の貨幣入出金システム。
【請求項６】
前記貨幣処理装置は、該貨幣処理装置の収納庫にすでに収納されている貨幣が所定数以上の場合、出金される貨幣が前記所定単位数以上であっても該出金される貨幣を全て前記貨幣処理装置から投出することを特徴とする請求項１から請求項５のいずれか一項に記載の貨幣入出金システム。
【請求項７】
前記貨幣管理装置は、該貨幣管理装置の収納庫にすでに収納されている貨幣が所定数未満である場合に収納貨幣が所定数未満であることを示すエンプティ情報を前記貨幣処理装置に送信し、
前記貨幣処理装置は、前記エンプティ情報を前記貨幣管理装置から受け取った場合に、出金される貨幣が前記所定単位数以上であっても該出金される貨幣を全て前記貨幣処理装置から投出することを特徴とする請求項１から請求項６のいずれか一項記載の貨幣入出金システム。
【請求項８】
前記貨幣処理装置は、結束されていないバラ紙幣を収納または投出し、
前記貨幣管理装置は、結束された束紙幣を収納または投出可能にすることを特徴とする請求項１から請求項７のいずれか一項記載の貨幣入出金システム。
【請求項９】
互いに通信可能に接続され、貨幣を収納する貨幣処理装置および貨幣管理装置を備え、  前記貨幣処理装置は、入金または出金される貨幣の数量を所定単位数で割り算して得られた剰余に相当する剰余貨幣を収納または投出し、
前記貨幣管理装置は、前記入金または出金される貨幣から前記剰余貨幣を除いた整除可能な数の貨幣を、前記所定単位数ごとに収納または投出し、
入金時に、前記貨幣処理装置は、入金される貨幣の金種の識別および数量の計測を行い、前記所定単位数ごとに貨幣を投出した後、前記剰余貨幣を収納し、
前記貨幣管理装置は、前記貨幣処理装置において前記所定単位数ごとに投出された貨幣を収納可能にすることを特徴とする貨幣入出金システム。
【請求項１０】
入金される貨幣の金種および数量の入力を受けるターミナルと、
前記ターミナルに通信可能に接続され、貨幣を収納する貨幣処理装置および貨幣管理装置とを備え、
前記ターミナルは、前記入金される貨幣の数量を所定単位数で割り算して得られた剰余に相当する剰余貨幣の情報を前記貨幣処理装置へ送信し、並びに、前記入金される貨幣から前記剰余貨幣を除いた整除可能な数の貨幣の情報を前記貨幣管理装置へ送信し、
前記貨幣処理装置は、前記ターミナルからの情報を受けて、前記剰余貨幣を収納し、
前記貨幣管理装置は、前記ターミナルからの情報を受けて、前記整除可能な数の貨幣を、前記所定単位数ごとに収納可能にすることを特徴とする貨幣入出金システム。
【発明の詳細な説明】
【技術分野】
【０００１】
本発明は、貨幣入出金システムに関する。
【背景技術】
【０００２】
従来から銀行等の金融機関には、２人の行員間に配設され紙幣および硬貨の入出金を取り扱う循環式貨幣入出金装置（以下、貨幣処理装置ともいう）が配置されている。例えば、特許文献１に記載された貨幣処理装置は、銀行の窓口の２人の行員によって共用されるため、カウンタ内側の２人の行員の間に設置される。
【０００３】
そして、顧客に対して入出金を行う場合、行員が貨幣処理装置に接続された入出金端末（以下、ターミナルともいう）に金額等のデータを入力する。貨幣処理装置は、ターミナルにおいて入力されたデータに従って貨幣の入金処理または出金処理を実行する。例えば、入金時において紙幣が投入されると、貨幣処理装置は、その紙幣を循環搬送路に１枚ずつ繰り出し、金種および正損等の識別の後、収納庫（スタッカ）に収納する。また、出金時において、貨幣処理装置は、収納庫から紙幣を循環搬送路に１枚ずつ繰り出し、その紙幣の識別後、出金口から出金される。
【先行技術文献】
【特許文献】
【０００４】
【特許文献１】特開２００１−９３０２２号公報
【発明の概要】
【発明が解決しようとする課題】
【０００５】
しかしながら、このような貨幣処理装置では、大量の貨幣を入金する場合に、貨幣処理装置の収納庫がすぐに満杯（フル）になり、あるいは、大量の貨幣を出金する場合に、すぐに空（エンプティ）になるという問題があった。
【０００６】
また、貨幣処理装置は、紙幣を束ではなく、ばらばらの状態で収納している。従って、貨幣処理装置のみを使用した場合、貨幣の取り扱いの容易性および貨幣管理の安全性の点で問題があった。
【０００７】
本発明は、斯かる課題を解決するためになされたものであり、大量の貨幣を入出金する場合であっても、貨幣処理装置の収納庫がすぐに満杯または空にならない貨幣入出金システムを提供することを目的とする。
【０００８】
また、本発明は、貨幣の取り扱いの容易性および貨幣管理の安全性を高めた貨幣入出金システムを提供することを目的とする。
【課題を解決するための手段】
【０００９】
本発明に係る実施形態に従った貨幣入出金システムは、入金または出金される貨幣の金種および数量の入力を受けるターミナルと、前記ターミナルに通信可能に接続され、貨幣を収納する貨幣処理装置および貨幣管理装置とを備え、前記ターミナルは、前記入金または出金される貨幣の数量を所定単位数で割り算して得られた剰余に相当する剰余貨幣の情報を前記貨幣処理装置へ送信し、並びに、前記入金または出金される貨幣から前記剰余貨幣を除いた整除可能な数の貨幣の情報を前記貨幣管理装置へ送信し、前記貨幣処理装置は、前記ターミナルからの情報を受けて、前記剰余貨幣を収納または投出し、前記貨幣管理装置は、前記ターミナルからの情報を受けて、前記整除可能な数の貨幣を、前記所定単位数ごとに収納または投出し、貨幣を入金する際、前記貨幣処理装置は、入金される貨幣を計数し、前記整除可能な数の貨幣を前記所定単位数ごとに投出し、前記剰余貨幣を収納する。
【００１１】
前記貨幣処理装置は、該貨幣処理装置の収納庫のいずれかに収納された貨幣が所定数以上になった場合に、前記所定単位数ごとに貨幣を投出するように構成してもよい。
【００１２】
前記貨幣処理装置または前記ターミナルは、前記所定単位数ごとに投出した貨幣の情報を前記貨幣管理装置へ送信し、前記貨幣管理装置は、前記貨幣処理装置からの情報に基づいて前記貨幣処理装置から前記所定単位数ごとに投出された貨幣の収納場所を特定するように構成してもよい。
【００１３】
前記貨幣処理装置は、該貨幣処理装置の収納庫にすでに収納されている貨幣が所定数未満の場合、入金される貨幣が前記所定単位数以上であっても該入金される貨幣を全て収納するように構成してもよい。
【００１４】
前記貨幣管理装置は、該貨幣管理装置の収納庫にすでに収納されている貨幣が所定数以上である場合に収納貨幣が所定数以上であることを示すフル情報を前記ターミナルまたは前記貨幣処理装置に送信し、
前記貨幣処理装置は、前記フル情報を受け取った場合に、入金される貨幣が前記所定単位数以上であっても該入金される貨幣を全て収納するように構成してもよい。
【００１５】
前記貨幣処理装置は、該貨幣処理装置の収納庫にすでに収納されている貨幣が所定数以上の場合、出金される貨幣が前記所定単位数以上であっても該出金される貨幣を全て前記貨幣処理装置から投出するように構成してもよい。
【００１６】
前記貨幣管理装置は、該貨幣管理装置の収納庫にすでに収納されている貨幣が所定数未満である場合に収納貨幣が所定数未満であることを示すエンプティ情報を前記貨幣処理装置に送信し、前記貨幣処理装置は、前記エンプティ情報を前記貨幣管理装置から受け取った場合に、出金される貨幣が前記所定単位数以上であっても該出金される貨幣を全て前記貨幣処理装置から投出するように構成してもよい。
【００１７】
前記貨幣処理装置は、結束されていないバラ紙幣を収納または投出し、前記貨幣管理装置は、結束された束紙幣を収納または投出可能にするように構成してもよい。
【００１８】
本発明に係る他の実施形態に従った貨幣入出金システムは、互いに通信可能に接続され、貨幣を収納する貨幣処理装置および貨幣管理装置を備え、前記貨幣処理装置は、入金または出金される貨幣の数量を所定単位数で割り算して得られた剰余に相当する剰余貨幣を収納または投出し、前記貨幣管理装置は、前記入金または出金される貨幣から前記剰余貨幣を除いた整除可能な数の貨幣を、前記所定単位数ごとに収納または投出し、入金時に、前記貨幣処理装置は、入金される貨幣の金種の識別および数量の計測を行い、前記所定単位数ごとに貨幣を投出した後、前記剰余貨幣を収納し、前記貨幣管理装置は、前記貨幣処理装置において前記所定単位数ごとに投出された貨幣を収納可能にするように構成してもよい。
本発明に係る他の実施形態に従った貨幣入出金システムは、入金される貨幣の金種および数量の入力を受けるターミナルと、前記ターミナルに通信可能に接続され、貨幣を収納する貨幣処理装置および貨幣管理装置とを備え、 前記ターミナルは、前記入金される貨幣の数量を所定単位数で割り算して得られた剰余に相当する剰余貨幣の情報を前記貨幣処理装置へ送信し、並びに、前記入金される貨幣から前記剰余貨幣を除いた整除可能な数の貨幣の情報を前記貨幣管理装置へ送信し、前記貨幣処理装置は、前記ターミナルからの情報を受けて、前記剰余貨幣を収納し、前記貨幣管理装置は、前記ターミナルからの情報を受けて、前記整除可能な数の貨幣を、前記所定単位数ごとに収納可能にする。
【図面の簡単な説明】
【００１９】
【図１】本発明に係る第１の実施形態に従った貨幣入出金システムの構成を示すブロック図。
【図２】ターミナル３００の構成を示す外観図。
【図３】ターミナル３００の構成を示すブロック図。
【図４】貨幣処理装置１１の外観図。
【図５】貨幣処理装置１１の内部構成を示す断面図。
【図６】貨幣処理装置１１の機能ブロック図。
【図７】貨幣管理装置２００の外観を示す斜視図。
【図８】貨幣管理装置２００の第１紙幣収納ドロア２１１の斜視図。
【図９】貨幣管理装置２００のブロック図。
【図１０】出納機１００の外観を示す斜視図である。図１１は、出納機１００の機能ブロック図。
【図１１】出納機１００の機能ブロック図。
【図１２】第１の実施形態による貨幣入出金システムの入金処理を示すフロー図。
【図１３】第１の実施形態による貨幣入出金システムの出金動作を示すフロー図。
【図１４】第２の実施形態に従った貨幣入出金システムの動作を示すフロー図。
【図１５】第３の実施形態による貨幣入出金システムの動作を示すフロー図。
【図１６】第４の実施形態による貨幣入出金システムの動作を示すフロー図。
【発明を実施するための形態】
【００２０】
以下、図面を参照して本発明に係る実施形態を説明する。本実施形態は、本発明を限定するものではない。
【００２１】
（第１の実施形態）
図１は、本発明に係る第１の実施形態に従った貨幣入出金システムの構成を示すブロック図である。本実施形態による貨幣入出金システムは、貨幣処理装置１１、出納機１００、貨幣管理装置２００およびターミナル３００により構成されている。
【００２２】
ターミナル３００は、貨幣処理装置１１、出納機１００および貨幣管理装置２００に接続されており、入出金される貨幣を貨幣処理装置１１、出納機１００および貨幣管理装置２００へ振り分けるように指示する。例えば、テラー（使用者）がターミナル３００に入金または出金する貨幣の金種およびその数量を入力する。このとき入出金される紙幣が所定単位数未満のバラ紙幣の場合、ターミナル３００は、その紙幣を貨幣処理装置１１へ収納または貨幣処理装置１１から出金するように貨幣処理装置１１に指示する。入出金される紙幣が所定単位数以上の紙幣（例えば、束紙幣）の場合、ターミナル３００は、その紙幣を貨幣管理装置２００へ収納または貨幣管理装置２００から出金するように貨幣管理装置２００に指示する。さらに、入出金される紙幣が大量であり、所定枚数を超える場合、ターミナル３００は、その紙幣を出納機１００へ収納または出納機１００から出金するように出納機１００に指示する。
【００２３】
このように、ターミナル３００は、入出金される貨幣の数に応じて、貨幣を収納する入金先または貨幣を投出させる出金元を決定するように構成されている。
【００２４】
[ターミナル３００の構成]
図２は、ターミナル３００の構成を示す外観図である。図３は、ターミナル３００の構成を示すブロック図である。ターミナル３００は、ＩＤリーダ３２８と、操作部３２７と、表示部３２６と、記憶部３２５と、制御部３２４と、インタフェース３２９とを備えている。
【００２５】
ＩＤリーダ３２８は、使用者としてのテラーのＩＤ情報を読み取る。操作部３２７は、テラーがデータを入力するために設けられており、例えば、キーボードである。表示部３２６は、入力情報および操作情報を表示するように構成されたディスプレイである。記憶部３２５は、各種プログラム及びデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。制御部３２４は、記憶部３２５内のプログラムを実行してターミナル３００全体を制御する。インタフェース３２９は、出納機１００、貨幣管理装置２００および貨幣処理装置１１と通信可能に接続されている。
【００２６】
[貨幣処理装置１１の構成]
図４は、貨幣処理装置１１の外観図である。貨幣処理装置１１は、銀行等の金融機関において左右の２人のテラー（使用者）間に設置され、貨幣の入出金の取り扱いを行うように構成されている。
【００２７】
貨幣処理装置１１は、上面から前面にかけて操作部１３を備える。操作部１３は、硬貨を投入する硬貨入金口１４を備える。硬貨入金口１４の前方には、紙幣を投入する紙幣入金口１６が形成されている。紙幣入金口１６の下方には、紙幣を投出する紙幣出金口１８が設けられている。紙幣出金口１８の下方には、リジェクトボックス取出口２１が設けられており、リジェクトボックス取出口２１内に損券を収納するリジェクトボックス２２が着脱可能に配置されている。
【００２８】
操作部１３の左右に硬貨出金口２５がそれぞれ形成されている。左右の硬貨出金口２５はそれぞれ貨幣処理装置１１の左右にいるテラーに用いられる。
【００２９】
操作部１３の上面の左右には、キー入力部２９が配設されている。左右のキー入力部２９は、それぞれ貨幣処理装置１１の左右にいるテラーに用いられる。各キー入力部２９は、硬貨（硬貨処理ユニット）および紙幣（紙幣処理ユニット）の入出金処理の開始を入力する紙幣処理キー３０および硬貨処理キー３１を備えている。
【００３０】
操作部１３は、表示部３４をさらに備えている。表示部３４は、トラブル時のメッセージ、ガイダンスメッセージ等を表示する。
【００３１】
操作部１３の前面には、貨幣処理装置の電源スイッチ３６が配設されている。入金出金モードキー３７は、テラーモードと精査モードとを切り替える。テラーモードにおいて、貨幣処理装置１１は、入金処理または出金処理等を実行し、精査モードにおいて、貨幣処理装置１１は、紙幣および硬貨の装填や締上収集等を実行する。
【００３２】
紙幣カセット４１（図５参照）が下部扉３９の内側に着脱可能に配置されている。
【００３３】
図５は、貨幣処理装置１１の内部構成を示す断面図である。貨幣処理装置１１は、下部ユニット４３と上部ユニット４４とを備え、下部ユニット４３と上部ユニット４４とは共に引出可能に構成されている。
【００３４】
貨幣処理装置１１内の紙幣処理ユニット５１は、紙幣搬送部５２と、紙幣識別部５３と、金種別のスタッカ５４ａ〜５４ｃと、複数（第１および第２）のカセット５５ａ、５５ｂを有する紙幣カセット４１を備えている。これにより、紙幣処理ユニット５１は、入金紙幣を出金紙幣に循環使用することができる。
【００３５】
紙幣搬送部５２は、紙幣入金口１６に投入された入金紙幣の入金処理と紙幣出金口１８へ払い出す出金紙幣の出金処理とに応じて紙幣を双方向へ搬送することができるようにベルト機構やローラ機構等によって構成されている。以下、紙幣入金口１６からスタッカ５４ａ〜５４ｃへ紙幣を搬送する方向を順送り方向といい、逆に、スタッカ５４ａ〜５４ｃから紙幣出金口１８へ紙幣を搬送する方向を逆送り方向という。
【００３６】
紙幣入金部５７は、紙幣入金口１６から紙幣を受け入れて、その紙幣を１枚ずつ紙幣搬送部５２に繰り出す。入金搬送路５８は、紙幣入金部５７から繰り出される紙幣を搬送する。循環搬送路５９は、入金搬送路５８から紙幣を受け入れて搬送する。導入搬送路６０は、循環搬送路５９から各スタッカ５４ａ〜５４ｃおよび各カセット５５ａ，５５ｂへ順送り方向に紙幣を導入する。逆に、導出搬送路６１は、各スタッカ５４ａ〜５４ｃおよび各カセット５５ａ，５５ｂから循環搬送路５９へ逆送り方向に紙幣を導出する。出金搬送路６２は、循環搬送路５９から紙幣出金口１８に紙幣を搬送する。紙幣出金部６３は、出金搬送路６２によって搬送されてくる紙幣を集積するとともに集積された紙幣を紙幣出金口１８から前方へ突出移動させる。リジェクト搬送路６４は、循環搬送路５９からリジェクトボックス２２にリジェクト紙幣を搬送する。表裏反転部６５は、循環搬送路５９の途中において紙幣の表裏を反転させるように構成されている。
【００３７】
循環搬送路５９は、入金搬送路５８から装置後方へ延びる上側搬送路６６、および、上側搬送路６６の後端から折返して装置前方へ延びる下側搬送路６７を備え、上側搬送路６６から下側搬送路６７にかけて紙幣の双方向の搬送が可能に構成されている。上側搬送路６６の前端と下側搬送路６７の前端との間には、下側搬送路６７から上側搬送路６６に紙幣を送る順送り搬送路６８が形成されている。さらに、順送り搬送路６８より装置後方で上側搬送路６６から下側搬送路６７に紙幣を送る逆送り搬送路６９が形成されている。そして、順送り搬送路６８は、順送り方向に搬送される紙幣を出金搬送路６２およびリジェクト搬送路６４に搬送させることができる。
【００３８】
表裏反転部６５は、上側搬送路６６を逆送り方向に搬送される紙幣を受け入れ、搬送途中で紙幣の表裏を逆転しつつ搬送方向を逆転させ、逆送り搬送路６９を通じて下側搬送路６７に搬送する。これにより紙幣の表裏を逆転することができる。
【００３９】
紙幣識別部５３は、紙幣搬送部５２の循環搬送路５９の上側搬送路６６の後端側に配設され、紙幣搬送部５２にて双方向に搬送される紙幣の金種や真偽を識別する。
【００４０】
各スタッカ５４ａ〜５４ｃは、紙幣の全金種（一万円、五千円、千円）に対応して金種毎に備えられている。スタッカ５４ａ〜５４ｃは、紙幣搬送部５２の循環搬送路５９から導入搬送路６０を通じて金種別に紙幣を受け入れて収納する。逆に、スタッカ５４ａ〜５４ｃは、収納された紙幣を導出搬送路６１を通じて循環搬送路５９に繰り出すこともできる。各スタッカ５４ａ〜５４ｃ内には、収納される紙幣を積載して昇降するリフト７０が配設されている。リフト７０を昇降駆動するリフト駆動部７１がスタッカ５４ａ〜５４ｃの後側に配設されている。
【００４１】
金種別に紙幣を一時的に保留する保留部７２が各スタッカ５４ａ〜５４ｃの上部にそれぞれ配設されている。保留部７２は、紙幣搬送部５２の循環搬送路５９から対応する導入搬送路６０を通じて搬送されてくる紙幣を集積する。保留部７２は、保留紙幣の収納時には保留紙幣をスタッカ５４ａ〜５４ｃ内に収納し、保留紙幣の返却時には導出搬送路６１を通じて循環搬送路５９に保留紙幣を１枚ずつ繰り出す。また、保留部７２に設けられたセンサが、入出金される紙幣の枚数を金種ごとにカウントする。
【００４２】
紙幣カセット４１は、紙幣を収納する２つのカセット５５ａ、５５ｂを備えている。各カセット５５ａ、５５ｂに装填された補充紙幣は、導出搬送路６１を通じて循環搬送路５９に繰り出され得る。また、締上収集時等において、回収紙幣は、循環搬送路５９から対応する導入搬送路６０を通じて各カセット５５ａ、５５ｂに収納される。収納される紙幣を載せて昇降するリフト７３が各カセット５５ａ、５５ｂ内に配設されている。カセット５５ａ、５５ｂは、例えば、入金時にスタッカ５４ａ〜５４ｃまたは保留部７２に入りきらないオーバーフロー紙幣や識別不能なリジェクト紙幣を収容する。
【００４３】
オーバーフロー紙幣およびリジェクト紙幣を一時的に保留する保留部７４がカセット５５ｂの上部に配設されている。保留部７４は、紙幣搬送部５２から対応する導入搬送路６０を通じて搬送されてくる紙幣を集積し、保留紙幣の収納時には保留紙幣をカセット５５ｂに収納する。保留紙幣の返却時や再識別時には、保留部７４は、保留紙幣を対応する導出搬送路６１を通じて循環搬送路５９に１枚ずつ繰り出す。
【００４４】
図６は、貨幣処理装置１１の機能ブロック図である。貨幣処理装置１１は、制御部１２４と、記憶部１２５と、表示部３４と、操作部１３と、紙幣処理ユニット５１と、インタフェース１１９とを備えている。
【００４５】
操作部１３は、テラーがデータを入力するために設けられており、例えば、ファンクションキーである。表示部３４は、入力情報および操作情報を表示するように構成されたディスプレイである。記憶部１２５は、各種プログラム及びデータを格納するＲＯＭまたはＨＤＤ、および、プログラムのロード領域やプログラム実行時における作業領域となるＲＡＭ等を含む。制御部１２４は、記憶部１２５内のプログラムを実行して貨幣処理装置１１の全体を制御する。インタフェース１２９は、出納機１００、貨幣管理装置２００およびターミナル３００と通信可能に接続されている。
【００４６】
［貨幣管理装置２００の構成］
図７は、貨幣管理装置２００の外観を示す斜視図である。図７に示すように、貨幣管理装置２００は、１万円紙幣を収納保管する第１紙幣収納ドロア２１１と、５千円紙幣を収納保管する第２紙幣収納ドロア２１２と、千円紙幣を収納保管する第３紙幣収納ドロア２１３と、硬貨を収納保管する硬貨収納ドロア２１４と、現金以外の有価証券類も投入することができる予備ドロア２１５と、を備えている。尚、貨幣管理装置２００は、二千円紙幣を収納保管する紙幣収納ドロアをさらに備えていてもよい。また、硬貨収納ドロアは、複数あってもよい。
【００４７】
貨幣管理装置２００は、貨幣管理装置２００の全体を制御する制御装置２２５と、制御装置２２５に各種の指示を与えるキーボード式操作部２２６と、テラーとのインタフェースとしての表示部２２７と、収納庫に貨幣を入出金する操作を行うテラーが所持するＩＤカードの内容を読み取るＩＤカードリーダ２２８とをさらに備えている。
【００４８】
図７では、接触式のＩＤカードリーダ２２８が採用されているが、非接触式のカードリーダが採用されてもよい。また、ＩＤカードリーダの他に、顔認証や静脈認証等を利用するための機器が採用されてもよい。
【００４９】
図８は、貨幣管理装置２００の第１紙幣収納ドロア２１１の斜視図である。第１紙幣収納ドロア２１１には、１万円紙幣の束が、規則正しく収納保管される。第１紙幣収納ドロア２１１の内部に、４つの紙幣保管容器２２１〜２２４が配置されている。また、１束１００枚の束紙幣を１０束ごとに束ねた大束紙幣が収納保管されるようになっていてもよい。他の紙幣収納ドロア２１２、２１３も第１紙幣収納ドロア２１１と同様の構成を有し、各金種の束紙幣を格納する。
【００５０】
硬貨収納ドロア２１４は、包装硬貨を規則正しく収納する。勿論、硬貨収納ドロア２１４は、硬貨の金種ごとに個別の保管容器を備えていてもよい。さらに、貨幣管理装置２００は、損券または混合貨幣を収納するドロア（図示せず）を備えていてもよい。
【００５１】
収納ドロア２１１〜２１４の底面には、収納されている貨幣の重量を測定するための測定手段として、ロードセル２６１（図９参照）が設けられている。ロードセル２６１の構成の詳細については周知であるので、ここではその説明を省略する。
【００５２】
このような構成によって、各金種ごとに、収納されている貨幣の重量が測定され得る。
【００５３】
図９は、貨幣管理装置２００の機能ブロック図である。貨幣管理装置２００は、制御部２２４と、記憶部２２５と、ＩＤカードリーダ２２８と、表示部２２７と、操作部２２６と、鍵検知部２９０と、報知装置２８０と、ロードセル２６１と、開閉電磁ロック２１１ｍ〜２１５ｍと、開閉検知装置２１１ｎ〜２１５ｎと、インタフェース２２９とを備えている。
【００５４】
操作部２２６は、テラーがデータを入力するために設けられており、例えば、キーボードである。表示部２２７は、入力情報および操作情報を表示するように構成されたディスプレイである。記憶部２２５は、各種プログラム及びデータを格納するＲＯＭまたはＨＤＤ、および、プログラムのロード領域やプログラム実行時における作業領域となるＲＡＭ等を含む。制御部２２４は、記憶部２２５内のプログラムを実行して貨幣管理装置２００の全体を制御する。インタフェース２２９は、出納機１００、貨幣処理装置１１およびターミナル３００と通信可能に接続されている。
【００５５】
制御部２２４は、各金種ごとに対応して設けられたロードセル２６１（重量測定手段）に接続されており、ロードセル２６１の出力値に基づいて、収納保管された貨幣の重量に対応する貨幣の金額を算出できるように構成されている。そして、記憶部２２５が、制御部２２４によって算出された貨幣の金種および数量を記憶するように構成されている。
【００５６】
開閉電磁ロック２１１ｍ〜２１５ｍは、各ドロア２１１〜２１５にそれぞれ設けられており、貨幣の入出金を許可する開状態と貨幣の入出金を禁止するロック状態との間で各ドロア２１１〜２１５を切替えるように構成されている。
【００５７】
報知装置２８０は、各ドロア２１１〜２１５が所定時間以上継続して開状態である場合に報知信号を出力する。
【００５８】
[出納機１００の構成]
図１０は、出納機１００の外観を示す斜視図である。図１０に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図１０において、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口である。
【００５９】
図１１は、出納機１００の機能ブロック図である。図１１に示すように、出納機１００は、制御部４２４と、記憶部４２５と、ＩＤカードリーダ４２８と、表示部４２７と、操作部４２６と、プリンタ４３０と、束紙幣処理部Ｐ１と、バラ紙幣処理部Ｐ２と、包装硬貨処理部４１３と、バラ硬貨処理部４１２と、現金外ボックス４１１と、インタフェース４２９とを備えている。
【００６０】
ＩＤリーダ４２８は、使用者としてのテラーのＩＤ情報を読み取る。ＩＤリーダは、公知の顔認証端末や、指に流れる静脈を認証するもの等、使用者本人を認証するものであればよい。操作部４２６は、テラーがデータを入力するために設けられており、例えば、キーボードである。表示部４２７は、入力情報および操作情報を表示するように構成されたディスプレイである。記憶部４２５は、各種プログラム及びデータを格納するＲＯＭまたはＨＤＤ、および、プログラムのロード領域やプログラム実行時における作業領域となるＲＡＭ等を含む。制御部４２４は、記憶部４２５内のプログラムを実行して出納機１００の全体を制御する。インタフェース４２９は、貨幣処理装置１１、貨幣管理装置２００およびターミナル３００と通信可能に接続されている。
【００６１】
現金外ボックス４１１は、現金以外の有価証券類を投入する。プリンタ４３０は、制御部４２４による指示に従って印字処理を行うように構成されている。プリンタ４３０は、入出金される貨幣の金種、数量、および、連携情報等を印字したレシートを発行するように構成されている。
【００６２】
インタフェース４２９は、貨幣処理装置１１、貨幣管理装置２００および貨幣処理装置１１と通信可能に接続されている。出納機１００の制御部４２４は、インタフェース４２９を介して貨幣処理装置１１および貨幣管理装置２００の在高データを確認および精査することができる。
【００６３】
[入金処理]
図１２は、第１の実施形態による貨幣入出金システムの入金処理を示すフロー図である。ここでは、貨幣管理装置２００のドロア２１１〜２１３は、それぞれ、１万円紙幣の束、５千円紙幣の束、および、千円紙幣の束を収納する。貨幣処理装置１１のスタッカ５４ａ〜５４ｃは、それぞれ１万円紙幣、５千円紙幣、および、千円紙幣のバラ紙幣（非結束紙幣）を収納する。さらに、前提として、テラーは、貨幣入出金システムを操作可能な状態にする。例えば、テラーは、ターミナル３００、貨幣処理装置１１、貨幣管理装置２００、出納機１００の各電源を立ち上げ、それぞれにログインする。テラーのログイン認証は、ターミナル３００のみで行ってもよい。この場合、ターミナル３００のみへのログインにより、テラーは、貨幣入出金システム全体を操作することができる。
【００６４】
まず、銀行の窓口等においてテラーが貨幣を受け取ると、テラーは、入金される紙幣の金種および数量をターミナル３００に入力する（Ｓ１０）。例えば、テラーが千円紙幣を２０５枚受け取った場合、テラーは、ターミナル３００の操作部３２６を操作して、処理が入金であること、入金される紙幣の金種が千円紙幣であること、入金される紙幣の数量が２０５枚であることを入力する。尚、リジェクト紙幣があった場合は、リジェクト紙幣の数は、入金される紙幣の数量から予め差し引かれる。従って、上記例では、千円紙幣の２０５枚は、リジェクト紙幣を除いた後の数量である。
【００６５】
ターミナル３００は、入金される紙幣の数量を所定単位数で割り算して得られた剰余に相当する剰余紙幣の数量と、入金される紙幣から剰余紙幣を除いた整除可能な紙幣数（あるいは束数）とを計算する（Ｓ２０）。例えば、入金される紙幣の枚数を２０５枚、所定単位数を１００とした場合、２０５を１００で割り算して得られた剰余は、５である。よって、この場合、剰余紙幣の数量は、５枚となる。また、整除可能な紙幣数は、２００枚（あるいは２束）となる。尚、所定単位数は、ターミナル３００の記憶部３２５に予め格納されている。
【００６６】
ターミナル３００は、余剰紙幣を貨幣処理装置１１に収納し、整除可能な紙幣を貨幣管理装置２００に収納することを表示部３７２に表示してテラーへ指示する。それとともに、ターミナル３００は、剰余紙幣を収納することを貨幣処理装置１１へ指示し、整除可能な紙幣を収納することを貨幣管理装置２００へ指示する（Ｓ３０）。例えば、上記具体例では、ターミナル３００は、剰余紙幣として千円紙幣５枚を貨幣処理装置１１へ収納し、整除可能な数の紙幣として千円紙幣２００枚（２束）を貨幣管理装置２００へ収納することを表示部３７２に表示する。それとともに、ターミナル３００は、千円紙幣５枚を収納することを貨幣処理装置１１へ指示し、千円紙幣２００枚（２束）を収納することを貨幣管理装置２００へ指示する。より詳細には、ターミナル３００は、処理が「入金」であること、入金される紙幣の金種が「千円紙幣」であること、および、収納する枚数が「５」であること示す処理情報を貨幣処理装置１１へ送信する。ターミナル３００は、処理が「入金」であること、入金される紙幣の金種が「千円紙幣」であること、および、収納する束数が「２」（あるいは枚数が「２００」）であること示す処理情報を貨幣管理装置２００へ送信する。
【００６７】
貨幣処理装置１１は、千円紙幣５枚を収納する処理情報を受けて、紙幣入金口１６を開く。貨幣管理装置２００は、千円の束紙幣を２束（千円紙幣２００枚）収納する処理情報を受けてドロア２１３を解錠し開く。このとき、図９の開閉電磁ロック２１３ｍが解錠され、開閉検知装置２１３ｎが開状態を検知する。
【００６８】
入金される紙幣が所定単位数に結束された束紙幣と所定単位数未満で結束されていないバラ紙幣とにすでに分離されている場合、テラーは、バラ紙幣を貨幣処理装置１１へ投入し、束紙幣を貨幣管理装置２００へ収納する（Ｓ５０、Ｓ５１）。上記具体例では、テラーは、千円紙幣５枚を貨幣処理装置１１の紙幣入金口１６へ投入し、千円の束紙幣２束を貨幣管理装置２００のドロア２１３へ収納する。
【００６９】
入金される紙幣がバラ紙幣のみである場合、テラーは、バラ紙幣を所定単位数ごとに帯封で結束する。紙幣の結束は、バラ紙幣を所定単位数ごとに結束する帯封機（図示せず）を用いて行う。帯封機は、貨幣入出金システムとは独立に設置されていてもよく、あるいは、貨幣処理装置１１等に一体として組み込まれていてもよい。
【００７０】
貨幣処理装置１１において、紙幣処理ユニット５１は、バラ紙幣が紙幣入金口１６に投入されると、その紙幣の金種および数量を検知する（Ｓ６０）。例えば、図５に示す紙幣識別部５３が投入された紙幣の金種を識別し、保留部７２に設けられたセンサが投入された紙幣の枚数をカウントする。貨幣処理装置１１の制御部１２４は、実際に収納された紙幣の金種および数量をターミナル３００から受信した処理情報の剰余紙幣の金種および数量とそれぞれ比較する（Ｓ７０）。このとき、紙幣は、保留部７２に一時的に保留されている。実際に収納された紙幣の金種および数量が処理情報における剰余紙幣の金種および数量と等しい場合（Ｓ７０のＹＥＳ）、貨幣処理装置１１は、保留部７２に保留されている紙幣をスタッカ５４ｃへ収納するとともに、収納完了通知をターミナル３００へ返信する（Ｓ８０）。これにより、貨幣処理装置１１における入金処理は終了する。
【００７１】
実際に投入された紙幣の金種および数量が処理情報における剰余紙幣の金種および数量と相違する場合（Ｓ７０のＮＯ）、貨幣処理装置１１は、エラーの発生を表示部３４に表示し、かつ、エラー通知をターミナル３００へ返信する（Ｓ９０）。ターミナル３００は、エラーの発生を表示部３７２に表示する。それと同時に、貨幣処理装置１１は、投入された紙幣を紙幣出金口１８に戻す。テラーは、実際に投入された紙幣の金種・数量と処理情報における剰余紙幣の金種・数量との整合を取り、エラーを修正する（Ｓ９５）。例えば、入金される紙幣の金種または数量が間違って入力されていた場合、テラーは、ターミナル３００または貨幣処理装置１１に正しい金種または数量を入力し直す（Ｓ１０）。実際に投入された紙幣の金種または数量が間違っていた場合、テラーは、貨幣処理装置１１へ正しい金種および数量の紙幣を投入し直す（Ｓ５０）。これにより、エラーは解消し、収納完了通知がターミナル３００へ送信される（Ｓ７０のＹＥＳ）。
【００７２】
一方、貨幣管理装置２００において、テラーは、束紙幣をドロア２１３へ収納した後、ドロア２１３を閉める（Ｓ９８）。ドロア２１３が閉まると、図９に示す貨幣管理装置２００の開閉検知装置２１３ｎがドロア２１３の閉状態を検知する。これと同時に、開閉電磁ロック２１３ｍがドロア２１３を施錠する（Ｓ１００）。ドロア２１３が開状態から閉状態へ移行したことをトリガとして、ロードセル２６１が、ドロア２１３に収納されている紙幣の重量を測定し、ドロア２１３内に収納された束紙幣の数量および金種を特定する（Ｓ１１０）。記憶部２２５は、ドロア２１３が開く前の束紙幣の重量を記憶しており、かつ、ドロア２１３が閉じた後の束紙幣の重量を記憶する。制御部２２４は、ドロア２１３が開く前の重量とドロア２１３がとした後の重量との差によって、ドロア２１３内に実際に収納された束紙幣の数量および金種を特定する。
【００７３】
貨幣管理装置２００の制御部２２４は、実際に収納された束紙幣の金種および束数を、ターミナル３００から受信した処理情報における整除可能な紙幣の金種および数（束数）と比較する（Ｓ１２０）。実際に収納された束紙幣の金種および束数が処理情報における整除可能な紙幣の金種および数（束数）と等しい場合（Ｓ１２０のＹＥＳ）、貨幣管理装置２００は、収納完了通知をターミナル３００へ返信する（Ｓ１３０）。これにより、貨幣管理装置２００における入金処理は終了する。
【００７４】
実際に収納された束紙幣の金種および束数が処理情報における整除可能な紙幣の金種および束数と相違する場合（Ｓ１２０のＮＯ）、貨幣管理装置２００は、エラーの発生を表示部２２７に表示し、かつ、エラー通知をターミナル３００へ返信する（Ｓ１３５）。ターミナル３００は、エラーの発生を表示部３７２に表示する。それとともに、貨幣管理装置２００の開閉電磁ロック２１３ｍは、ドロア２１３を再度解錠して、ドロア２１３を開状態にする。テラーは、実際に投入された束紙幣の金種・束数と処理情報における整除可能な紙幣の金種・束数との整合を取り、エラーを修正する（Ｓ１３８）。例えば、収納される束紙幣の金種または束数が間違って入力されていた場合、テラーは、ターミナル３００または貨幣管理装置２００に正しい金種または束数を入力し直す（Ｓ１０）。実際に収納された束紙幣の金種または束数が間違っていた場合、テラーは、貨幣管理装置２００へ正しい金種および束数の紙幣を投入し直す（Ｓ５１）。これにより、エラーは解消し、収納完了通知がターミナル３００へ送信される（Ｓ１２０のＹＥＳ）。
【００７５】
ターミナル３００は、収納完了通知を貨幣処理装置１１および貨幣管理装置２００の双方から受け取った場合（Ｓ４０のＹＥＳ）、入金処理が完了する。ターミナル３００は、収納完了通知を貨幣処理装置１１および貨幣管理装置２００の双方から受け取っていない場合（Ｓ４０のＮＯ）、エラー通知を受信しているか否かを判断する（Ｓ４５）。エラー通知を受信している場合（Ｓ４５のＹＥＳ）、ターミナル３００は、表示部３２７にエラー内容を表示する（Ｓ４８）。エラー通知を受信していない場合（Ｓ４５のＮＯ）、ターミナル３００は、収納完了通知またはエラー通知を受信するまで待機する。
【００７６】
[出金処理]
図１３は、第１の実施形態による貨幣入出金システムの出金動作を示すフロー図である。まず、テラーは、ターミナル３００に出金される紙幣の金種および数量を入力する（Ｓ２１０）。例えば、千円紙幣を２０５枚出金する場合、テラーは、ターミナル３００の操作部３２６を操作して、処理が出金動作であること、出金される紙幣の金種が千円紙幣であること、出金される紙幣の数量が２０５枚であることを入力する。
【００７７】
ターミナル３００は、出金される紙幣の数量を所定単位数で割り算して得られた剰余に相当する剰余紙幣の数量と、出金される紙幣から剰余紙幣を除いた整除可能な紙幣の数量（あるいは束数）とを計算する（Ｓ２２０）。例えば、出金される紙幣の枚数を２０５枚、所定単位数を１００とした場合、２０５を１００で割り算して得られた剰余は、５である。よって、この場合、剰余紙幣の数量は、５枚となる。また、整除可能な紙幣の数量は、２００枚（束数としては２）となる。
【００７８】
ターミナル３００は、余剰紙幣を貨幣処理装置１１から取り出し、整除可能な紙幣を貨幣処理装置２００から取り出すことを表示部３７２に表示してテラーへ指示する。それとともに、ターミナル３００は、剰余紙幣を取り出すことを貨幣処理装置１１へ指示し、整除可能な数の紙幣を取り出すことを貨幣管理装置２００へ指示する（Ｓ２３０）。例えば、上記具体例では、ターミナル３００は、剰余紙幣として千円紙幣５枚を貨幣処理装置１１から取り出し、整除可能な数の紙幣として千円紙幣２００枚（２束）を貨幣管理装置２００から取り出すことを表示部３７２に表示する。それとともに、ターミナル３００は、千円紙幣５枚を投出することを貨幣処理装置１１へ指示し、千円紙幣２００枚（２束）を取り出し可能にすることを貨幣管理装置２００へ指示する。より詳細には、ターミナル３００は、処理が「出金」であること、出金される紙幣の金種が「千円紙幣」であること、および、投出する枚数が「５」であること示す処理情報を貨幣処理装置１１へ送信する。ターミナル３００は、処理が「出金」であること、出金される紙幣の金種が「千円紙幣」であること、および、取出し可能な束数が「２」（あるいは枚数が「２００」）であること示す処理情報を貨幣管理装置２００へ送信する。
【００７９】
貨幣処理装置１１は、千円紙幣５枚を投出する処理情報を受けて、処理情報に従ってスタッカ５４ｃから千円紙幣を５枚繰り出し、紙幣出金口１８へ投出する（Ｓ２５０）。そして、紙幣出金口１８を開き、テラーが紙幣を取り出し可能とする。テラーは、貨幣処理装置１１から投出された紙幣を取り出す（Ｓ２６０）。尚、図５に示す紙幣処理ユニット５１は、投出される紙幣の金種および数量を検知する。例えば、保留部７２に設けられたセンサが、繰り出された紙幣の枚数をカウントし、紙幣識別部５３が、それらの紙幣の金種を識別する。従って、貨幣処理装置１１は、処理情報に従った金種および数量の紙幣を自動で投出するので、テラーが処理情報と相違する金種または数量の紙幣を取り出すことはない。つまり、ここでは、エラーは生じない。
【００８０】
テラーが紙幣を紙幣出金口１８から取り出すと、貨幣処理装置１１は、取出し完了通知をターミナル３００へ送信する（Ｓ２６５）。これにより、貨幣処理装置１１における出金処理は終了する。
【００８１】
貨幣管理装置２００は、千円の束紙幣を２束（千円紙幣２００枚）取り出し可能にするために、処理情報を受けてドロア２１３を解錠し開く（Ｓ２７０）。このとき、図９の開閉電磁ロック２１３ｍが解錠され、開閉検知装置２１３ｎが開状態を検知する。
【００８２】
テラーは、貨幣管理装置２００のドロア２１３から千円の束紙幣を２束取り出す（Ｓ２８０）。テラーは、束紙幣を取り出した後、ドロア２１３を閉める（Ｓ２８２）。ドロア２１３が閉まると、図９に示す貨幣管理装置２００の開閉検知装置２１３ｎがドロア２１３の閉状態を検知する。これと同時に、開閉電磁ロック２１３ｍがドロア２１３を施錠する（Ｓ２８４）。ドロア２１３が開状態から閉状態へ移行したことをトリガとして、ロードセル２６１が、ドロア２１３に収納されている紙幣の重量を測定し、ドロア２１３内に収納されている束紙幣の数量を特定する。記憶部２２５は、ドロア２１３が開く前の束紙幣の重量を記憶しており、かつ、ドロア２１３が閉じた後の束紙幣の重量を記憶する。制御部２２４は、ドロア２１３が開く前の重量とドロア２１３がとした後の重量との差によって、ドロア２１３から実際に取り出された束紙幣の数量を特定する。
【００８３】
貨幣管理装置２００の制御部２２４は、実際に取り出された束紙幣の数を、ターミナル３００から受信した処理情報における整除可能な紙幣の数（束数）と比較する（Ｓ２８５）。実際に取り出された束紙幣の束数が処理情報における束数と等しい場合（Ｓ２８５のＹＥＳ）、貨幣管理装置２００は、取出し完了通知をターミナル３００へ返信する（Ｓ２８６）。これにより、貨幣管理装置２００における取出し処理は終了する。
【００８４】
実際に取り出された束紙幣の数が処理情報における束数と相違する場合（Ｓ２８５のＮＯ）、貨幣管理装置２００は、エラーの発生を表示部２２７に表示し、かつ、エラー通知をターミナル３００へ返信する（Ｓ２８８）。ターミナル３００は、エラーの内容を表示部３７２に表示する（Ｓ２９０）。それとともに、貨幣管理装置２００の開閉電磁ロック２１３ｍは、ドロア２１３を再度解錠して、ドロア２１３を開状態にする。テラーは、実際に取り出された束紙幣の数と処理情報における束数との整合を取り、エラーを修正する（Ｓ２９２）。例えば、取り出される束紙幣の数が間違って入力されていた場合、テラーは、ターミナル３００または貨幣管理装置２００に正しい束数を入力し直す（Ｓ２１０）。実際に取り出された束紙幣の数が間違っていた場合、テラーは、貨幣管理装置２００から正しい数の束紙幣を取り出す（Ｓ２７０、Ｓ２８０）。これにより、エラーは解消し、取出し完了通知がターミナル３００へ送信される（Ｓ２８５のＹＥＳ）。
【００８５】
尚、貨幣管理装置２００は、処理情報における取出し紙幣の金種に従ってドロア２１１〜２１３のいずれかを開ける。従って、テラーがターミナル３００において入力を間違えない限り、実際に取り出される紙幣の金種は、処理情報における金種と一致する。
【００８６】
ターミナル３００は、取出し完了通知を貨幣処理装置１１および貨幣管理装置２００の双方から受け取った場合（Ｓ２４０のＹＥＳ）、出金処理が完了する。ターミナル３００は、取出し完了通知を貨幣処理装置１１および貨幣管理装置２００の双方から受け取っていない場合（Ｓ２４０のＮＯ）、エラー通知を受信しているか否かを判断する（Ｓ２４５）。エラー通知を受信している場合（Ｓ２４５のＹＥＳ）、ターミナル３００は、表示部３２７にエラー内容を表示する（Ｓ２９０）。エラー通知を受信していない場合（Ｓ２４５のＮＯ）、ターミナル３００は、取出し完了通知またはエラー通知を受信するまで待機する。
【００８７】
出金処理完了後、テラーは、出金した紙幣を顧客へ支払う。
【００８８】
尚、バラ紙幣のみが必要な場合、テラーは、貨幣管理装置２００から取り出した束紙幣の帯封を切ってバラ紙幣にすればよい。代替的に、ターミナル３００においてバラ紙幣と束紙幣とを選択可能にしてもよい。例えば、千円紙幣をバラ紙幣の状態で２０５枚取り出す場合、テラーは、ターミナル３００において、取り出される紙幣の金種および数量の入力とともに、バラ紙幣を選択する。ターミナル３００は、処理が「出金」であること、出金される紙幣の金種が「千円紙幣」であること、および、取り出される紙幣の数量が「２０５」であることを示す処理情報を貨幣処理装置１１のみへ送信する。貨幣処理装置１１は、この処理情報に従って、千円紙幣をバラ紙幣の状態で２０５枚投出すればよい。
【００８９】
本実施形態による貨幣入出金システムによれば、テラーがターミナル３００に入力した処理情報に基づいて、ターミナル３００が、バラ紙幣については貨幣処理装置１１において処理し、並びに、束紙幣については貨幣処理装置２００において処理することを自動で指示する。従って、テラーは、ターミナル３００にのみ処理情報を入力すれば足り、貨幣処理装置１１および貨幣管理装置２００に処理情報を入力する必要がない。従って、テラーにとって操作が簡単になる。
【００９０】
また、ターミナル３００からの処理情報を受け取った貨幣処理装置１１および貨幣管理装置２００は、処理情報の受信をトリガとして動作を開始することができる。即ち、貨幣処理装置１１は、処理情報を受信するとすぐに紙幣入金口１６を開くことができ、あるいは、処理情報を受信するとすぐにスタッカ５４ａ〜５４ｃから紙幣を繰り出すことができる。貨幣管理装置２００は、処理情報を受信するとすぐにドロア２１１〜２１４のいずれかを自動で開けることができる。従って、入金処理および出金処理が速くなる。
【００９１】
さらに、貨幣管理装置２００は、処理情報に含まれる貨幣の金種に応じて、その金種に対応するドロアを選択的に自動で解錠することができる。その他のドロアは施錠された状態であるので、テラーが間違ったドロアに束紙幣を収納することを防止し、あるいは、テラーが間違ったドロアから束紙幣を取り出すことを防止することができる。
【００９２】
（第２の実施形態）
図１４は、本発明に係る第２の実施形態に従った貨幣入出金システムの動作を示すフロー図である。第２の実施形態では、テラーは、入金される紙幣を全て貨幣処理装置１１へ、一旦、投入する。第２の実施形態による貨幣処理装置１１は、投入された紙幣を計数し、整除可能な数の紙幣を所定単位数ごとに投出し、剰余貨幣を収納する。所定単位数ごとに投出された紙幣は、必要に応じて帯封機によって結束された後、貨幣管理装置２００へ収納される。第２の実施形態による貨幣入出金システムの構成は、第１の実施形態による貨幣入出金システムの構成（図１〜１１）と同様でよい。
【００９３】
以下、図１４を参照して、第２の実施形態における入金処理を説明する。
【００９４】
まず、入金処理においてテラーがバラ紙幣を受け取った場合、テラーは、入金される紙幣の金種および数量をターミナル３００に入力する（Ｓ１０）。ターミナル３００は、図１２に示すステップＳ２０およびＳ３０を実行する。これにより、処理情報が貨幣処理装置１１および貨幣管理装置２００へ送信される。このとき、貨幣処理装置１１への処理情報には、入金される紙幣の総数が含まれる。
【００９５】
貨幣処理装置１１は、処理情報を受けて、紙幣入金口１６を開く。貨幣管理装置２００は、処理情報を受けてドロア２１１〜２１４のいずれかを解錠し開く。
【００９６】
テラーは、受け取った紙幣を全て貨幣処理装置１１に投入する（Ｓ３０１）。
【００９７】
貨幣処理装置１１は、投入された紙幣を識別しかつ計数する（Ｓ３１０）。貨幣処理装置１１は、投入された紙幣の金種および数量を処理情報における紙幣の金種および数量と比較する（Ｓ３２０）。投入された紙幣の金種および数量が処理情報における紙幣の金種および数量と等しい場合（Ｓ３２０のＹＥＳ）、貨幣処理装置１１は、紙幣を所定単位数ごとに投出する（Ｓ３３０）。テラーは、必要に応じて、所定単位数ごとに投出された紙幣を帯封機で結束する。尚、貨幣処理装置１１が帯封機能を有する場合、貨幣処理装置１１は帯封された束紙幣を投出することができる。
【００９８】
その後、テラーは、所定単位数ごとに投出された紙幣、または、束紙幣を貨幣管理装置２００に収納する（Ｓ３３５）。尚、貨幣管理装置２００へ束紙幣を収納する動作は、図１２に示す貨幣管理装置２００の動作と同様であるので、その説明を省略する。ただし、ステップＳ１３８でエラーを修正するときには、ステップＳ１０またはＳ３３５へ戻り、テラーが処理情報を入力し直し、あるいは、貨幣を貨幣管理装置２００へ収納し直す。
【００９９】
貨幣処理装置１１が所定単位数ごとに紙幣を投出していくと、貨幣処理装置１１には、所定単位数未満の剰余紙幣のみが残る。貨幣処理装置１１は、この剰余紙幣をそのまま収納すればよい（Ｓ３４０）。貨幣処理装置１１が剰余紙幣を収納すると、貨幣処理装置１１は、収納完了通知をターミナル３００へ送信する（Ｓ３５０）。
【０１００】
一方、投入された紙幣の数量が処理情報における紙幣の数量と異なる場合（Ｓ３２０のＮＯ）、貨幣処理装置１１は、エラーの発生を表示部３４に表示し、かつ、エラー通知をターミナル３００へ返信する（Ｓ３５５）。ターミナル３００は、エラーの発生を表示部３７２に表示する。それと同時に、貨幣処理装置１１は、投入された紙幣を紙幣出金口１８に戻す。テラーは、実際に投入された紙幣の金種・数量と処理情報における紙幣の金種・数量との整合を取り、エラーを修正する（Ｓ３６０）。例えば、入金される紙幣の金種または数量が間違って入力されていた場合、テラーは、ターミナル３００または貨幣処理装置１１に正しい金種または数量を入力し直す（Ｓ１０）。実際に投入された紙幣の金種または数量が間違っていた場合、テラーは、貨幣処理装置１１へ正しい金種および数量の紙幣を投入し直す（Ｓ３０１）。これにより、エラーは解消し、貨幣処理装置１１は、紙幣を所定単位数ごとに投出する（Ｓ３２０のＹＥＳ）。
【０１０１】
ターミナル３００は、収納完了通知を貨幣処理装置１１および貨幣管理装置２００の双方から受け取った場合（Ｓ３７０のＹＥＳ）、入金処理が完了する。ターミナル３００は、収納完了通知を貨幣処理装置１１および貨幣管理装置２００の双方から受け取っていない場合（Ｓ３７０のＮＯ）、図１２のステップＳ４５およびＳ４８を実行する。
【０１０２】
第２の実施形態における出金処理は、第１の実施形態のそれと同様であるので、その説明を省略する。
【０１０３】
第２の実施形態によれば、テラーは、受け取ったバラ紙幣を計数することなく、そのまま貨幣処理装置１１に投入すればよい。貨幣処理装置１１は、投入された紙幣を識別かつ計数することができるからである。これにより、入金時のテラーの操作が簡略化される。そして、貨幣処理装置１１は、所定単位数ごとにその紙幣を投出し、残りの剰余紙幣のみを収納する。テラーは、貨幣処理装置１１から投出される所定単位数の紙幣を結束して貨幣管理装置２００へ収納する。従って、テラーは、紙幣の計数および収納を個別に実行することなく、連続して実行することができる。
【０１０４】
[入金先の例外]
上記第１および第２の実施形態において、入金される紙幣のうち所定単位数ごとの紙幣（束紙幣）は貨幣管理装置２００へ収納され、所定単位数未満のバラ紙幣は貨幣処理装置１１へ収納される。
【０１０５】
しかし、貨幣処理装置１１にすでに収納されている対応する金種の紙幣が所定数未満の場合、貨幣処理装置１１は、入金される紙幣が所定単位数以上であっても、その紙幣を全て収納してよい。例えば、千円紙幣を入金する際に、貨幣処理装置１１のスタッカ５４ｃ内の紙幣数が所定数未満である場合、貨幣処理装置１１は、入金される千円紙幣を全てスタッカ５４ｃへ収納する。ここでの所定数は、スタッカ５４ｃが空になる手前の任意の紙幣数である。所定数は、貨幣処理装置１１の記憶部１２５に予め格納されている。
【０１０６】
この場合、貨幣処理装置１１は、スタッカ５４ｃ内の紙幣が所定数未満であることを示すエンプティ情報、および、入金される紙幣を全て収納すること示す情報をターミナル３００へ送信する。ターミナル３００は、これらの情報を表示部３７２に表示し、入金される紙幣が貨幣処理装置１１に収納されることをテラーに知らせる。
【０１０７】
これにより、紙幣が貨幣処理装置１１へ補充されるので、テラーが貨幣処理装置１１へ紙幣を補充する頻度を少なくすることができる。
【０１０８】
一方、貨幣管理装置２００に収納された対応する金種の紙幣が所定数以上である場合にも、貨幣処理装置１１は、入金される紙幣を全て収納してよい。例えば、千円紙幣を入金する際に、貨幣管理装置２００のドロア２１３がすでに所定数以上の束紙幣を収納している場合、貨幣処理装置１１は、入金される千円紙幣を全てスタッカ５４ｃへ収納する。ここでの所定数は、ドロア２１３が満杯になる手前の任意の紙幣数（束数）である。所定数は、貨幣管理装置２００の記憶部２２５に予め格納されている。
【０１０９】
この場合、貨幣管理装置２００は、ドロア２１３内の束紙幣が所定数以上であることを示すフル情報をターミナル３００に送信する。ターミナル３００は、フル情報を表示部３７２に表示するとともに、入金される紙幣を貨幣処理装置１１に収納することをテラーに知らせる。また、ターミナル３００は、フル情報を貨幣処理装置１１に送信する。
【０１１０】
貨幣処理装置１１は、フル情報を受け取ると、テラーが投入した紙幣の全部を収納する。
【０１１１】
これにより、テラーが貨幣管理装置２００から束紙幣を回収する頻度を少なくすることができる。
【０１１２】
[出金元の例外]
上記第１および第２の実施形態において、出金される紙幣のうち所定単位数ごとの紙幣（束紙幣）は貨幣管理装置２００から取り出され、所定単位数未満のバラ紙幣は貨幣処理装置１１から取り出される。
【０１１３】
しかし、貨幣処理装置１１に収納されている対応する金種の紙幣が所定数以上の場合、貨幣処理装置１１は、出金される紙幣が所定単位数以上であっても、その全ての紙幣を投出してよい。例えば、千円紙幣を出金する際に、貨幣処理装置１１のスタッカ５４ｃに収納されている紙幣の数が所定数以上である場合、貨幣処理装置１１は、出金される千円紙幣を全てスタッカ５４ｃから繰り出す。ここでの所定数は、スタッカ５４ｃが満杯になる手前の任意の紙幣数である。所定数は、貨幣処理装置１１の記憶部１２５に予め格納されている。
【０１１４】
この場合、貨幣処理装置１１は、スタッカ５４ｃの紙幣が所定数以上であることを示すフル情報、および、出金される紙幣を全て繰り出すこと示す情報をターミナル３００へ送信する。ターミナル３００は、これらの情報を表示部３７２に表示し、該紙幣が貨幣処理装置１１から投出されることをテラーに知らせる。
【０１１５】
これにより、テラーが貨幣処理装置１１から紙幣を回収する頻度を少なくすることができる。
【０１１６】
一方、貨幣管理装置２００に収納された対応する金種の紙幣が所定数未満である場合にも、貨幣処理装置１１は、出金される紙幣を全て投出してよい。例えば、千円紙幣を出金する際に、貨幣処理装置２００のドロア２１３に収納されている束紙幣が所定数未満である場合、貨幣処理装置１１は、出金される千円紙幣を全てスタッカ５４ｃから繰り出す。ここでの所定数は、ドロア２１３が空になる手前の任意の紙幣数（束数）である。所定数は、貨幣管理装置２００の記憶部２２５に予め格納されている。
【０１１７】
この場合、貨幣管理装置２００は、ドロア２１３内の束紙幣が所定数未満であることを示すエンプティ情報をターミナル３００に送信する。ターミナル３００は、エンプティ情報を表示部３７２に表示するとともに、出金される紙幣を貨幣処理装置１１から投出することをテラーに知らせる。また、ターミナル３００は、エンプティ情報を貨幣処理装置１１に送信する。
【０１１８】
貨幣処理装置１１は、エンプティ情報を受け取ると、出金される紙幣の全部を投出する。
【０１１９】
これにより、テラーが貨幣管理装置２００に束紙幣を補充する頻度を少なくすることができる。
【０１２０】
以上のように、紙幣処理装置１１から所定数以上の紙幣を投出する場合、紙幣処理装置１１は所定数毎にバッチ取りができるように構成しても構わない。例えば、紙幣処理装置１１は所定数が投出される度に投出を停止し、紙幣が抜き取られると再度投出を開始する。このように構成することで、テラーは、取り出す毎に再度計数せずに帯封することができるため、帯封作業が簡単になる。
【０１２１】
（第３の実施形態）
第３の実施形態において、貨幣処理装置１１は、スタッカ５４ａ〜５４ｃのいずれかに収納された紙幣が所定数以上になった場合に、そのスタッカから紙幣を所定単位数ごとに投出する。
【０１２２】
この場合、貨幣処理装置１１は、スタッカ５４ａ〜５４ｃのいずれかの紙幣が所定数以上になったことを示すフル情報と、所定単位数ごとに投出した紙幣の金種および数量（束数）を含む処理情報とをターミナル３００へ送信する。ターミナル３００は、フル情報および処理情報を表示部３７２に表示してテラーへその処理情報を知らせるとともに、処理情報を貨幣管理装置２００へ送信する。尚、貨幣処理装置１１は、処理情報を貨幣管理装置２００へ直接送信してもよい。
【０１２３】
図１５は、第３の実施形態による貨幣入出金システムの動作を示すフロー図である。例えば、入金時に貨幣処理装置１１が千円紙幣を収納した場合、スタッカ５４ｃの収納枚数が所定枚数としての１５００枚を超えると仮定する（Ｓ４００）。この場合、貨幣処理装置１１は、スタッカ５４ｃのフル情報および処理情報をターミナル３００へ送信する（Ｓ４１０）。
【０１２４】
ターミナル３００はフル情報および処理情報を受け取ると、表示部３７２にフル情報および処理情報を表示する（Ｓ４２０）。テラーがターミナル３００において所定のキー操作を行うと、ターミナル３００は、貨幣処理装置１１に紙幣を所定単位数ごとに投出することを許可する信号を送信する（Ｓ４４０）。さらに、ターミナル３００は、貨幣管理装置２００へ処理情報を送信する（Ｓ４５０）。
【０１２５】
貨幣処理装置１１がターミナル３００からの許可信号を受け取ると、貨幣処理装置１１は、例えば、スタッカ５４ｃから千円紙幣を所定単位数（例えば、１００枚単位）ごとに投出する（Ｓ４６０）。そして、スタッカ５４ｃに収納された千円紙幣の数量が所定枚数以下（例えば、５００枚以下）になる（Ｓ４７０のＹＥＳ）と、貨幣処理装置１１は、ターミナル３００へ収納完了通知を送信し、紙幣の投出を終了する。
【０１２６】
テラーは、貨幣処理装置１１から投出された千円札を１００枚単位で結束し、その後、束紙幣を貨幣管理装置２００に収納する（Ｓ４８０）。勿論、貨幣処理装置１１が帯封機能を有する場合、テラーは、単に、貨幣処理装置１１から投出された束紙幣を貨幣管理装置２００に収納するだけでよい。
【０１２７】
貨幣管理装置２００は、貨幣処理装置１１から受け取った処理情報に基づいて、束紙幣の収納場所を特定する。より詳細には、貨幣管理装置２００は、処理情報に含まれる金種情報に応じて、ドロア２１１〜２１４のいずれかを選択的に解錠し開く（Ｓ４８０）。テラーは、貨幣管理装置２００の解錠されたドロアへ束紙幣を収納する（図１２のＳ５１）。その後、貨幣管理装置２００は、図１２のステップＳ９８以降の処理を実行する。尚、ステップＳ１３８でエラーを修正するときには、ステップＳ５１へ戻り、テラーは、貨幣を貨幣管理装置２００へ収納し直す。
【０１２８】
ターミナル３００は、図１２のステップＳ４０〜Ｓ４８を実行する。そして、ターミナル３００は、貨幣処理装置１１および貨幣管理装置２００から収納完了通知を受けたときに処理を終了する。
【０１２９】
第３の実施形態によれば、テラーが貨幣処理装置１１から紙幣を頻繁に回収することを抑制することができる。
【０１３０】
（第４の実施形態）
図１６は、第４の実施形態による貨幣入出金システムの動作を示すフロー図である。第２の実施形態において、テラーは、入金される紙幣の金種および数量をターミナル３００に入力していた（Ｓ１０）。しかし、図１６に示すように、貨幣処理装置１１が、投入された紙幣の金種および数量の情報をターミナル３００へ送信すれば、テラーが紙幣の金種および数量をターミナル３００に入力することを省略できる。これにより、入金時のテラーの操作がさらに簡略化される。その後の処理は、図１４で説明した通りである。
【０１３１】
尚、貨幣処理装置１１は、投入された紙幣の金種および数量の情報、あるいは、貨幣管理装置２００へ収納する紙幣の金種および数量（束数）の情報を処理情報として貨幣管理装置２００へ直接送信してもよい。貨幣管理装置２００へ収納する貨幣の金種および数量（束数）の情報を送信する場合、貨幣処理装置１１が、投入された紙幣のうち整除可能な紙幣の数および剰余紙幣の数を算出する。
【０１３２】
また、貨幣処理装置１１は、投入された紙幣を所定単位数ごとに投出した後、残った所定単位数未満の紙幣を自動で収納するので、ターミナル３００から貨幣処理装置１１への処理情報の送信は省略可能である。ターミナル３００から貨幣処理装置１１への処理情報の送信を省略した場合、貨幣処理装置１１では、ステップＳ３３５におけるエラーは発生しない。
【０１３３】
尚、ステップＳ３６０でエラーを修正する場合、ステップＳ３０１へ戻り、テラーは、貨幣を貨幣処理装置１１へ投入し直す。ステップＳ１３８でエラーを修正する場合、ステップＳ３０１またはＳ３３５へ戻り、テラーは、貨幣を貨幣処理装置１１へ投入し直し、あるいは、貨幣を貨幣処理装置２００へ収納し直す。
【０１３４】
第４の実施形態によれば、テラーがターミナル３００へ貨幣の金種および数量を入力する必要がないので、テラーの手間がさらに簡略化される。
【０１３５】
以上の実施形態において、紙幣についてのみ記載したが、硬貨についても同様のことが言える。硬貨の場合、貨幣入出金システムは、バラ硬貨および包装貨幣に分けて収納すればよい。出納機１００は、包装硬貨を作成、収納可能に構成されている。よって、例えば、入金時には、硬貨用の貨幣処理装置（図示せず）がバラ硬貨を収納し、出納機１００が包装硬貨にすべき単位数の硬貨を収納する。出金時には、硬貨用の貨幣処理装置がバラ硬貨を投出し、出納機１００が包装硬貨を投出する。この場合、貨幣管理装置２００の代わりに出納機１００を採用することによって、第１から第４の実施形態を硬貨の処理に適用することができる。この場合、ターミナル３００は、硬貨用の貨幣処理装置と出納機１００とを連携させる。勿論、硬貨用の貨幣処理装置は、紙幣用の貨幣処理装置１１と一体化されていてもよい。
【０１３６】
また、入金または出金される貨幣の数量が非常に大きい場合、出納機１００へ貨幣を収納し、あるいは、出納機１００から貨幣を取り出してもよい。この場合、ターミナル３００は、入金または出金される貨幣の数量が所定数（例えば、１万枚）を超える場合に、出納機１００へ処理情報を送信する。処理情報を受けた出納機１００は、入金される貨幣を収納し、あるいは、出金される貨幣を投出する。これにより、貨幣処理装置１１および貨幣管理装置２００がすぐに満杯になることを抑制し、あるいは、すぐに空になることを抑制することができる。
【符号の説明】
【０１３７】
１１・・・貨幣処理装置
１００・・・出納機、
２００・・・貨幣管理装置
３００・・・ターミナル
１２４，２２４，３２４・・・制御部
１２５，２２５，３２５，４２５・・・記憶部
３４，２２７，３２７，４２７・・・表示部
１３，２２６，３２６，４２６・・・操作部
１２９，２２９，３２９，４２９・・・インタフェース
２６１・・・ロードセル
【図１】
0005646301.tif 000002
【図２】
0005646301.tif 000003
【図３】
0005646301.tif 000004
【図４】
0005646301.tif 000005
【図５】
0005646301.tif 000006
【図６】
0005646301.tif 000007
【図７】
0005646301.tif 000008
【図８】
0005646301.tif 000009
【図９】
0005646301.tif 000010
【図１０】
0005646301.tif 000011
【図１１】
0005646301.tif 000012
【図１２】
0005646301.tif 000013
【図１３】
0005646301.tif 000014
【図１４】
0005646301.tif 000015
【図１５】
0005646301.tif 000016
【図１６】
0005646301.tif 000017